(57)【要約】      （修正有）【課題】枕本体を略ハート形状に拡大することにより、肩部分や肩甲骨部分にも高低や突起をつけられ、仰向けの状態では、頭、首、肩、肩甲骨部の指圧ができ、また、横向きの場合は、下側の腕を枕の表面に収め、頭上へ伸長させて寝られ、更に、肘をついたごろ寝の姿勢のように、右向きで起こした状態の頭を支えられ、心臓がある左半身が上になり、健康促進に役立ち、リラックスした状態で安眠できるハート形健康安眠枕を提供する。【解決手段】枕の左右の面が一番高く、間の上部左右と、頭部分の中央上部１、首部分の中央下部３が高く形成され、また、枕の中央部２と、突起を設けた肩部分の下部左右の面が低く、突起を設けた肩甲骨部分の最下部の面が一番低く形成され、また、中央部から上部左右にかけ、それぞれに左右の片腕を収めるべく段差を利用した縁を成形し、更に、枕の右側の一片を可動させ、枕本体１１の上に重ねて頭を載せられるよう形成されることを特徴とする。【選択図】図１
0003161305.tif 000002
【実用新案登録請求の範囲】
【請求項１】
軟らかい合成樹脂にて成形された枕本体11を、表面を尻すぼみの略ハート形状に拡大し、枕の左右９，10の面が頭をＶ字形に囲むよう一番高い位置に形成され、その間の上部左右７，８と、頭を載せる中央上部１、首を支える中央下部３が高く、また、頭と首の間の中央部２と、肩を載せる下部左右４，５の面が低く、肩甲骨部分を載せる最下部６の面が一番低く形成されたハート形健康安眠枕。
【請求項２】
軟らかい合成樹脂製の突起として、肩を載せる下部左右４，５に２個の小突起12を、肩甲骨部分を載せる最下部６に２個の中突起13をそれぞれの面に設けた請求項１記載のハート形健康安眠枕。
【請求項３】
枕本体11の中央部２から上部左７にかけ、枕の左９との段差を利用した右腕を収める縁14を、また、中央部２から上部右８にかけ、枕の右10との段差を利用した左腕を収める縁15をそれぞれ成形した請求項１または請求項２記載のハート形健康安眠枕。
【請求項４】
右向きに寝て起こした状態の頭を支えるため、枕の右10の着脱可能な一片21を、結合部の連結板20を軸にして上方に引き起こし、上部右８と中央上部１の面の上に重ね、高い位置での一片21の表面に頭を載せられるよう形成された請求項１から請求項３までのいずれかに記載のハート形健康安眠枕。
【請求項５】
心臓がある左半身が上になるよう、使用法が右向きに寝る姿勢に限定されるよう形成された請求項４記載のハート形健康安眠枕。
【考案の詳細な説明】
【技術分野】
【０００１】
本考案は、枕本体を大きくすることにより、頭と首部分に加えて、肩部分や肩甲骨部分にも高低や突起がつけられ、また、枕の表面に左右の片腕を収められる縁を設け、更に、枕の右側の一片を可動させ、本体の上に重ねられるよう形成された健康安眠枕に関する。
【背景技術】
【０００２】
従来、健康や安眠の目的で使用される枕には、利用者の要求に応じてさまざまな形や機能があり、これらは主に頭部分と首部分に高低や突起などがつけられており、故に、直接的には頭と首に対しての指圧効果やリラックス効果が得られるのが一般的であった。
【先行技術文献】
【特許文献】
【０００３】
【特許文献１】特開２００６−１５８７３４号公報
【特許文献２】特開２００５−３４２４５７号公報
【特許文献３】特開２００２−２７２５８０号公報
【考案の概要】
【考案が解決しようとする課題】
【０００４】
従来の枕は大きさが限られているため、頭部分と首部分にしか高低や突起がつけられず、仰向けの状態では、頭と首の指圧しかできなかった。
【０００５】
また、従来の首部分の位置が高く、頭部分が窪んで低い枕は、首から後頭部にかけて枕の表面が密着する範囲が広く、圧力が分散し、かえって首や頭へのメリハリのついた指圧効果が薄れ、更に、長時間の使用の場合は、頭頂部が下に沈みすぎることから首部分が自然に圧迫され、睡眠中に違和感を覚えることもあった。
【０００６】
また、横向きに寝た場合、体の下側にある腕や肩に掛かる体重の負担を軽減させるため、下側の腕を枕の上に載せて頭上へ伸長させようとしても、枕の高さが妨げとなり、肩が持ち上がり不自然な姿勢になり、首や腕に負担を掛けてしまい、むりなく頭上へ伸長させて寝ることができなかった。
【０００７】
更に、肘をついたごろ寝の姿勢のように、横向きで頭の位置を高くして寝る場合、枕を折り曲げるなどして無理に頭を載せたり、実際に肘をついて重い頭を支えたりし、首や腕に負担を掛け、且つ、血行を悪くさせて頭を支えるしか方法がなかった。
【０００８】
また、上記の場合、健康のため、自然に心臓がある左半身が上になるように、寝る姿勢を右横向きに促すような工夫がされた枕はなかった。
【０００９】
本考案は、これらの問題に鑑み、枕本体を大きくすることにより、頭部分と首部分に加えて、肩部分や肩甲骨部分にも高低や突起をつけられ、仰向けの状態では、頭、首、肩、肩甲骨部に至るまで指圧ができ、また、横向きに寝た場合は、下側の腕を枕の表面に収める縁を設けることにより、肘から手首を無理なく頭上へ伸長させて寝ることができ、更に、横向きで肘をついたごろ寝の姿勢のように、右向きに寝て起こした状態の頭を支える場合は、枕の右側の一片を可動させ、本体の上に重ねることにより、右横向きで頭を高い位置で支えることができ、且つ、右向きに寝る姿勢に限定されるため、自然に心臓がある左半身が上になり、体の血行を良くし、健康促進に役立ち、リラックスした状態で安眠できるハート形健康安眠枕の提供を目的としたものである。
【課題を解決するための手段】
【００１０】
上述の如き従来の問題を解決し、所期の目的を達成するための本考案の特徴は、軟らかい合成樹脂にて成形された枕本体11を、表面を尻すぼみの略ハート形状に拡大し、枕の左右９，10の面が頭をＶ字形に囲むよう一番高い位置に形成され、その間の上部左右７，８と、頭を載せる中央上部１、首を支える中央下部３が高く、また、頭と首の間の中央部２と、肩を載せる下部左右４，５の面が低く、肩甲骨部分を載せる最下部６の面が一番低く形成されたハート形健康安眠枕にある。
【００１１】
また、軟らかい合成樹脂製の突起として、肩を載せる下部左右４，５に２個の小突起12を、肩甲骨部分を載せる最下部６に２個の中突起13をそれぞれの面に設けて、肩や肩甲骨部まで指圧作用を持たらせた上記記載のハート形健康安眠枕にある。  
【００１２】
更に、横向きに寝て、頭上へ伸長させた腕を収めるために、枕本体11の中央部２から上部左７にかけ、枕の左９との段差を利用した右腕を収める縁14を、また、中央部２から上部右８にかけ、枕の右10との段差を利用した左腕を収める縁15をそれぞれ成形した上記記載のハート形健康安眠枕にある。
【００１３】
また、右向きに寝て起こした状態の頭を支えるために、枕の右10の着脱可能な一片21を、結合部の連結板20を軸にして上方に引き起こし、上部右８と中央上部１の面の上に重ね、高い位置での一片21の表面に頭を載せられるよう形成された上記記載のハート形健康安眠枕にある。
【００１４】
尚、上記のように、横向きで寝て、頭を起こした状態で支える場合は、血行を良くするために、自然に心臓がある左半身が上になるよう、使用法が右向きに寝る姿勢に限定されるよう形成されることが好ましい。
【考案の効果】
【００１５】
枕本体11を略ハート形状に、先を下部方向に尖らせて大きくし、中材としては、例えば軟らかいスポンジやウレタン製の合成樹脂製のものを使用することにより、広い範囲で枕面に凹凸をつけられ、且つ、体に対して軟らかい感触が得られ、仰向けの状態では、中央上部１の面に頭を載せた場合、枕の左右９，10の面との段差の立ち上がり部分が頭の両脇をＶ字形に挟み、両耳に心地よい感触を得られ、また、その間の上部左右７，８と頭を載せる中央上部１、首を支える中央下部３が高く、頭と首の間にある中央部２の面が低いことから、頭と首の間に枕本体11との隙間が保て、後頭部と首に局所的な指圧効果が得られ、更に、肩を載せる下部左右４，５の面が低く、肩甲骨部分を載せる最下部６の面が一番低い位置にあることにより、頭と首に加えて、肩周辺の体形に沿った、柔らかく適度な指圧効果が得られ、肩と肩甲骨部の筋肉がほぐれ、リラックスした状態で安眠できる。
【００１６】
また、下部左右４，５の面にそれぞれ左右並列に1個ずつ配置される、例えばウレタン樹脂製などの柔軟な材質でできた小突起12に肩を載せ、また、最下部６の面に同じく左右並列に２個配置される、同じ材質の中突起13に肩甲骨部を載せることにより、体重によって、肩および肩甲骨部に対し、より局所的で快適な指圧効果が与えられる。
【００１７】
また、横向きに寝た状態では、体の下側にある腕を、中央下部３に肩の位置がくるように脇を載せ、そして中央部２から上部左右７，８にかけて、枕の左右９，10との段差を利用して設けた左右の縁14，15に、それぞれ右横向きに寝た場合は右腕を左の縁14に、左横向きの場合は左腕を右の縁15に沿うように、肩から肘、そして手首方向へと収めることにより、上部左右７，８の上端からそれぞれ右腕、左腕の手首をはみ出させ、自然な状態で片腕を頭上に伸長させられ、また、それぞれの脇の下が中央下部３に触れ、腕の内側が、縁14，15の左右９，10への立ち上がり部分に触れることによって、心地よい刺激とリラックス効果が得られる。
【００１８】
更に、右向きに寝る場合、枕の右10の着脱可能な一片21を、結合部の連結板20を軸にして上方に引き起こし、上部右８と中央上部１の表面上に重ね、高い位置での一片21の表面で頭を支えられ、右向きで寝て起こした状態の頭を支えることができる。
【００１９】
尚、上記の右向きで頭を起こした状態で寝る場合は、自然に心臓がある左半身が上になるため、左向きよりも心臓に負担が掛からず、血行が良くなり、健康促進に役立つ。
【考案を実施するための形態】
【実施例１】
【００２０】
本考案は、構造上の説明を明確にするために、平面から見て枕に頭を載せた場合に頭頂部に値する側を上部と称し、首部に値する側を下部と称し、また、一例として高さや長さ、角度の数値を記しているが、これらの範囲に限定されないものと定義づけ、図面に基づいて詳細に説明すると、図１に示されている11は枕本体を示し、該枕本体11は、例えば表面積を縦60ｃｍ以上、横60ｃｍ以上に拡大し、略ハート形状に外周に丸みを持たせ、下部方向を逆三角形に尻すぼみに成形し、中材としては、型崩れしにくく、体に対して適度な柔軟さと反発力がある、例えばスポンジやウレタン樹脂製のものを使用するのが好ましい。
【００２１】
また、枕の左右９，10の面の高さが17ｃｍ〜22ｃｍで一番高く、頭の両脇に適度な感触が得られるよう、段差を設けて頭の左右をに囲むように、例えば40°〜50°の傾斜角度で頭の左右をＶ字形に覆うよう形成し、更に、枕の左右９，10の面は、それぞれ下部方向の低い位置に形成される肩を載せる下部左右４，５の面の、高さ３ｃｍ〜５ｃｍの下端19まで、連続する同じ面で緩やかに下降するよう形成され、下端19の左右それぞれの寄り添うように傾斜する内側の角18から、左右９，10のそれぞれの上端までの長さは40ｃｍ以上、下端19の左右それぞれの内側の角18同士の間隔は10ｃｍ以内に形成されることが好ましい。
【００２２】
また、図２、図３に示すように、上部左右７，８と、頭を載せる中央上部１、首を支える中央下部３の面はいずれも10ｃｍ〜15ｃｍの高さに形成され、上部左右７，８と中央上部１の面は、Ｖ字形の枕の左右９，10の面の間に挟まれるように段を設けて低く形成され、首を支える中央下部３の面は、下部左右４，５の下端19の左右それぞれの内側の角18同士の間から垂直に上部方向に８ｃｍ〜13ｃｍのところに中心がくるよう、枕の左右９，10と連続する同じ面で左右に結んだ部分に位置し、縦６ｃｍ以内、横18ｃｍ以内で形成され、また、頭を載せる中央上部１の面は、下部方向の高さ８ｃｍ〜13ｃｍの中央部２を隔てて、首を支える中央下部３の段差の立ち上がり部の面の高さ５ｃｍ〜10ｃｍまで、緩やかに下降するよう形成されることが好ましい。
【００２３】
更に、図３、図４に示すように、首を支える中央下部３と肩を載せる下部左右４，５の面の直下に、それぞれから段を設けて低くなる、肩甲骨部を載せる最下部６の面が一番低く形成され、表面を尻すぼみにさせた形で例えば0.5ｃｍ〜３ｃｍの高さに形成される。
【実施例２】
【００２４】
また、例えば、ウレタン樹脂製の突起として、肩を載せる下部左右４，５の面には、一例として直径３ｃｍほどで高さが１ｃｍ〜２ｃｍの円柱形または半球体形の小突起12を、下端19の左右それぞれの内側の角18から下端19を底辺として40°〜50°の角度で、いずれも角を起点とした直線上の６ｃｍ以内に中心がくるよう１個ずつ、故に下部左右４，５の面に合計２個設け、肩甲骨部を載せる最下部６の面には、一例として直径４ｃｍほどで高さが1.5ｃｍ〜2.5ｃｍの円柱形または半球体形の中突起13を、中央下部３の中心部から垂直に下部方向へ13ｃｍ以上のところに中心がくるよう、且つ、左右10ｃｍ以上の間隔を空け、並列に合計２個設けることで、体の肩および肩甲骨部に対し、より指圧効果を促進させることが望ましい。
【実施例３】
【００２５】
また、図５、図６に示すように、横向きに寝た状態において、体の下側にある腕を枕表面に収めるため、中央部２から上部左右７，８のそれぞれ30ｃｍ以上の長さにかけて、右腕を収める縁14と、左腕を収める縁15を、枕の左右９，10との段差の立ち上がり部を利用してそれぞれ設け、故に図５が示すように、縁14，15の立ち上がり部の下端は、頭を載せる中央上部１や中央部２の面とも連続する同じ面にあるので、下部方向における縁14，15の立ち上がり部の下端の高さは中央部２の面と同様に８ｃｍ〜13ｃｍであり、上部方向における縁14，15の立ち上がり部の下端の高さは上部左右７，８の面と同じ10ｃｍ〜15ｃｍとして成形されるため、それぞれの片腕を収めた場合は、図５の通り、手首の位置が同じ側の肩部よりも高くなり、自然な状態で伸長させられる。
【実施例４】
【００２６】
更に、図１、図２に示すように、中央部２から上部右８にかけての面と接する、左腕を収める縁15の段差の立ち上がり部の下端となる長さ30ｃｍ以上の線を縦の切抜き線16とし、また、縦の切抜き線16の中央部２から、垂直に枕の右10の右端にかけ長さ10ｃｍ以上に設けた直線を横の切抜き線17とし、それぞれの切抜き線を平面上で縦と横の直角に結び、且つ、その直角線から底板部におよぶ下方へも垂直に切り抜いて、枕本体11と着脱可能とした部分を一片21とし、一例として図９、図10に示すように、枕本体11と一片21を結合する、それぞれの本体内部に連結させた長さ15ｃｍ以上の可動式の連結板20の本体結合部20ａを軸として、一片結合部20ｂを上方に起立した位置まで旋回させ、一片21を上方に引き起こし、且つ、一片結合部20ｂを連結板20の本体内で一片結合部20ｂの位置が移動できるように設けた切抜き溝内にて、本体結合部20ａ方向へスライドさせることによって、図８、図10に示すように、一片21を上部右８と中央上部１の面の上に重ねられ、高い位置となった一片21の表面に頭を載せられるよう成形することで、上部右８の高さ10ｃｍ〜15ｃｍに、一片21の高さ17ｃｍ〜22ｃｍが重なり、故に最大で27ｃｍ〜37ｃｍの高さの部分において、右向きに寝て起こした状態の頭を支えることができる。
【００２７】
また、図７に示すように、一片21を下で支える中央上部１の面は、首を支える中央下部３の方向に向け高さが緩やかに下降し、且つ、一片21の表面も下部方向に緩やかに低く形成されているので、頭を載せた場合、頭の重さも加わり首方向が適度に沈み、首に負担を掛けずに自然な姿勢で頭を支えることができる。
【実施例５】
【００２８】
尚、図８に示すように、横向きに寝て起こした状態の頭を支える場合は、頭を載せる一片21が上部右８の位置や、中央上部１の右側の位置に重なることにより、左向きで寝る場合では頭がうつむいて無理な姿勢になり、首に負担が掛かってしまうため、右向きに寝るように使用法が限定され、自然に心臓がある左半身が上になる。
【産業上の利用可能性】
【００２９】
この考案は、軟らかい合成樹脂にて成形された枕の本体を、表面を尻すぼみの略ハート形状に拡大し、枕の左右の面が頭をＶ字形に囲むよう一番高い位置に形成され、その間の上部左右と、頭を載せる中央上部、首を支える中央下部が高く、また、頭と首の間の中央部と、肩を載せる枕の下部左右の面が低く、肩甲骨部分を載せる最下部の面が一番低く形成され、且つ、肩を載せる下部左右と、肩甲骨部分を載せる最下部の面にそれぞれ大きさの異なる突起を設け、また、中央部から上部左右にかけ、枕の左右との段差を利用した右腕を収める縁と左腕を収める縁をそれぞれ成形し、更に、健康を考え右向き方向に限定して起こした状態の頭を支えるため、枕の右側の着脱可能な一片を、連結板を軸にして上方に引き起こし、枕の上部右と中央上部の面の上に重ね、高い位置で頭を載せられるよう形成されたハート形健康安眠枕に関するものである。
【００３０】
産業上の利用価値としては、枕本体を略ハート形状に、先を下部方向に尖らせて大きくすることにより、広い範囲で枕の面に凹凸をつけられ、枕の中材に、例えばスポンジやウレタン樹脂製のものを使用することにより、体に対して軟らかい感触が得られ、仰向けの状態で頭を載せた場合、枕の左右の面が一番高い位置で頭をＶ字形に挟み、頭の両脇に軟らかく心地よい感触を得られ、また、その間の上部左右と頭を載せる中央上部、首を支える中央下部が高く、頭と首の間にある中央部が低いことから、後頭部と首に軟らかく局所的な指圧効果が得られて安眠できる。更に、肩を載せる枕の下部左右の面が低く、肩甲骨部分を載せる枕の最下部の面が一番低い位置にあることにより、肩と肩甲骨部の体形に沿って、軟らかく最適な指圧効果が得られ、頭と首に加えて肩と肩甲骨部の筋肉がほぐれ、リラックスした状態で安眠できる。
【００３１】
更に、例えば適度に軟らかいウレタン樹脂製の突起として、肩を載せる下部左右の面に小突起を２個設け、肩甲骨部を載せる最下部の面にも中突起を２個設けることで、肩と肩甲骨部に対し、体重の圧力によって局所的な刺激が与えられ、より指圧効果を促進でき、肩こりの改善に役立つ。
【００３２】
また、横向きに寝た状態では、枕の中央部から上部左右にかけ、枕の左右との段差を利用して設けた左右の縁に、体の下側にある腕をそれぞれ右横向きに寝た場合は右腕を左の縁に、左横向きの場合は左腕を右の縁に沿うように、肩から肘、そして手首方向へと収めることにより、上部左右の上端からそれぞれ左右の手首をはみ出すように、自然な状態で片腕を頭上に伸長させられ、本来は体の下側で負担が掛かっていた腕や肩の血行不良を改善し、筋肉をほぐし、気持ちよく寝ることができる。また、脇の下が中央下部に触れ、腕の内側が、縁の枕の左右への立ち上がり部分に触れることによって、心地よい刺激と抱擁される安心感を味わいながら寝ることができる。
【００３３】
更に、枕の右側の着脱可能な一片を、可動式の連結板を軸にして上方に引き起こし、枕の上部右と中央上部の面の上に重ね、その一片の上に頭の右側を載せて使用することにより、右向きに寝て起こした状態の頭を支えられ、肘をつかずにリラックスしてごろ寝の姿勢ができ、首や腕に負担を掛けずに寝ながらの読書やテレビ観賞をすることができる。また、枕の上に重なった一片の表面は、首方向に緩やかに低く形成されているので、頭を載せてもあご部分の面が適度に沈み、首に負担を掛けずに自然な姿勢で頭を支えることができる。
【００３４】
尚、上記のように、横向きに寝て起こした状態の頭を支える場合は、頭を載せる一片が枕の中央より右の位置に重なることから、左向きでは無理な姿勢になり、首に負担が掛かってしまうため、使用法が右向きに寝る姿勢に限定され、その結果、自然に心臓がある左半身が上になり、体の血行を良くし、心臓を圧迫することなくリラックスして寝ることができ、右向きのため胃腸の消化作用に良く、健康促進にも役立ち、これらの機能を有した枕を市場に提供することによって、消費者がより快適な睡眠と健康的な日常を送れられ、人々の生活の向上に貢献できる。
【図面の簡単な説明】
【００３５】
【図１】本考案の枕の斜視図である。
【図２】同上の枕の平面図である。
【図３】本考案の枕の側面図、および、仰向け使用状態の側面図である。
【図４】同上の仰向け使用状態の平面図である。
【図５】本考案の枕の横向き使用状態の側面図である。
【図６】同上の横向き使用状態の平面図である。
【図７】本考案の枕の他の横向き使用状態の側面図である。
【図８】同上の他の横向き使用状態の平面図である。
【図９】本考案の枕の背面図である。
【図１０】同上の他の横向き使用状態の背面図である。
【符号の説明】
【００３６】
１中央上部
２中央部
３中央下部
４下部左
５下部右
６最下部
７上部左
８上部右
９枕の左
10枕の右
11枕本体
12小突起
13中突起
14右腕を収める縁
15左腕を収める縁
16縦の切抜き線
17横の切抜き線
18内側の角
19下端
20連結板
20ａ結合部
20ｂ結合部
21一片
【図１】
0003161305.tif 000003
【図２】
0003161305.tif 000004
【図３】
0003161305.tif 000005
【図４】
0003161305.tif 000006
【図５】
0003161305.tif 000007
【図６】
0003161305.tif 000008
【図７】
0003161305.tif 000009
【図８】
0003161305.tif 000010
【図９】
0003161305.tif 000011
【図１０】
0003161305.tif 000012